(57)【特許請求の範囲】
【請求項１】
同一形状の４枚の金属製の枠板と、この枠板を一部ずらしながら重ねて形成された枠体と、ろ過板をジグザグ状に折り畳み形成したろ材をフィルター枠に収納したフィルターユニットと、このフィルターユニットを前記枠体内に引出自在でＶ字状に配列させるガイド部とを備え、前記枠板をねじ止めにより組み合わせ前記枠体を形成し、Ｖ字状に配列される前記フィルターユニットの上流側端部間に支持板を設け、前記支持板には回動操作により前記フィルターユニットに係脱して前記フィルターユニットが上流側に飛び出すのを押さえるフィルター押さえを設けたエアーフィルター。
【請求項２】
フィルター枠を嵌合できる金属製の第１の枠と第２の枠により形成し、内部に収納されるろ材の端部を第１の側壁と第２の側壁間に狭み、第１の枠と第２の枠を支持手段により嵌合状態で支持する構成とした請求項１記載のエアーフィルター。
【発明の詳細な説明】
【０００１】
【発明の属する技術分野】
本発明は、ビル、工場等に使用される空気調和機や空気清浄機等に設置されるフィルターユニットを引き出し自在に設けたエアーフィルターに関する。
【０００２】
【従来の技術】
従来、この種のエアーフィルターの枠構成の一例として図１０に示すものが知られていた。以下、その構成について図１０を参照しながら説明する。
【０００３】
図に示すように、同一形状に形成した金属製の側板１０１の上下に同一形状に形成した金属製の枠板１０２をスポット溶接により接合して枠体１０３を形成し、枠体１０３の内部にはＶ字形に折り曲げ連設したろ材１０４を設け、エアーフィルターを形成していた。
【０００４】
また、枠体内にろ材を引き出し自在に設けたものの一例として図１１を参照しながら説明する。
【０００５】
図に示すように、枠体２０１の上流側から下流側に向かい略Ｖ字状にフィルターユニット２０２を挿入するガイド２０３を設け、フィルターユニット２０２は、周囲に一体的に形成した枠部２０４を設け、内部にろ紙をジグザグ状に折畳んだろ材２０５を設けていた。
【０００６】
そして、枠体２０１内に挿入されたフィルターユニット２０２が枠体２０１の上流側に飛び出さないように蓋板２０５をねじ２０６により取り付けていた。
【０００７】
【発明が解決しようとする課題】
このような従来のエアーフィルターでは、前者においては、側板１０１に枠板１０２をスポット溶接により接合しているため、溶接加工工程が必要であり、ヒュームの発生による環境の悪化を伴うとともに、カラー鋼板等は使用できず材質が限定され、錆の発生する恐れもあり、また、廃却時の分解も困難であるという課題があり、スポット溶接を用いないで枠体を形成することが要求されている。
【０００８】
また、後者においては、フィルターユニット２０２が上流側に飛び出すのを蓋板２０５をねじ２０６により取り付けていたので、エアーフィルター２０２が設置されている暗くて狭い場所で工具を用いてねじ２０６を取り外し蓋板２０５を取り去ってフィルターユニット２０２を取り出すことが困難であるとともに、取り外したねじ２０６や蓋板２０５が紛失するという課題があり、工具を用いず部品の紛失を無くすようにすることが要求されている。
【０００９】
本発明は、上記課題を解決するもので、スポット溶接を必要とせずフィルターユニットの着脱操作が容易にできるコストの安いエアーフィルターを提供することを目的としている。
【００１０】
【課題を解決するための手段】
本発明のエアーフィルターは上記目的を達成するために、同一形状の４枚の金属製の枠板と、この枠板を一部ずらしながら重ねて形成された枠体と、ろ過板をジグザグ状に折り畳み形成したろ材をフィルター枠に収納したフィルターユニットと、このフィルターユニットを前記枠体内に引出自在でＶ字状に配列させるガイド部とを備え、前記枠板をねじ止めにより組み合わせ前記枠体を形成し、Ｖ字状に配列される前記フィルターユニットの上流側端部間に支持板を設け、前記支持板には回動操作により前記フィルターユニットに係脱して前記フィルターユニットが上流側に飛び出すのを押さえるフィルター押さえを設けたものである。
【００１１】
本発明によれば、工具を用いる必要がなく回動する簡単な操作でフィルターユニットを押さえたり、押さえを解除することができ作業性が向上し、スポット溶接を必要としないコストの安いエアーフィルターが得られる。
【００１２】
【発明の実施の形態】
本発明は、同一形状の４枚の金属製の枠板と、この枠板を一部ずらしながら重ねて形成された枠体と、ろ過板をジグザグ状に折り畳み形成したろ材をフィルター枠に収納したフィルターユニットと、このフィルターユニットを前記枠体内に引出自在でＶ字状に配列させるガイド部とを備え、前記枠板をねじ止めにより組み合わせ前記枠体を形成し、Ｖ字状に配列される前記フィルターユニットの上流側端部間に支持板を設け、前記支持板には回動操作により前記フィルターユニットに係脱して前記フィルターユニットが上流側に飛び出すのを押さえるフィルター押さえを設けたものであり、工具を用いる必要がなく回動する簡単な操作でフィルターユニットを押さえたり、押さえを解除することができ作業性が向上し、枠板は同一形状の金属製のものを使用するので洗浄が可能で枠体の形成時の金型等が一種類のもので良いこととなるとともに、ねじ止めにより枠板を一部ずらしながら重ねて組み合わせるためスポット溶接の必要がなくなりコストが安くなるという作用を有する。
【００１３】
以下、本発明の実施例について図面を参照しながら説明する。
【００１４】
【実施例】
（実施例１）
図１〜図４に示すように、上流側および下流側となる前後方向の両端部に設けられる断面がコの字状部１と、左右方向の両端に設けられるＬ字状部２と、Ｌ字状部２の一方のＬ字状部２近傍に設けられたねじ３の貫通孔４と、他方のＬ字状部２に設けられるねじ３のねじ孔５とを設けた枠板６を一部ずらしながら重ねてねじ３により固定し、枠体７を形成する。
【００１５】
そして、ろ過板８ａをジグザグ状に折り畳み形成したろ材８をフィルター枠９に収納したフィルターユニット１０と、このフィルターユニット１０を枠体７内に引出自在でＶ字状に配列させるガイド部１１を枠体７の上下内面に設け、Ｖ字状に配列されるフィルターユニット１０の上流側端部間に上下端部を枠体７に取り付けた支持板１２を設け、支持板１２を貫通し、下流側に引張り勝手のスプリング１３を介して前後方向に移動自在にブッシュ１４により支持される軸１５に、Ｖ字状に配列される２枚のフィルターユニット１０の上流側端部に当接するとともに、２枚のフィルターユニット１０を狭む円弧状の突部１６ａを設けた横長のフィルター押さえ１６を軸１６の端部に設け、フィルター押さえ１６をスプリング１３のスプリング圧に抗して上流側に引張り回動し、縦方向に位置させることによりフィルターユニット１０への押え力が解除されるように設ける。
【００１６】
上記構成において、枠体７は４枚の同一形状の枠板６を一部ずらしながら重ねてねじ３を用いて接合させ、枠体７の角部に枠体７の変形するのを補強する補強金具（図示せず）を取り付けることにより、枠体７を一部ずらしながら重ねる方向に変形するのが補強されることとなる。
【００１７】
また、枠体７内にフィルターユニット１０を収納するときには、フィルター押さえ１６をスプリング１３のスプリング圧に抗して上流側に引張り支持板１２に沿うように縦方向に配設した状態でフィルターユニット１０を枠体７の上下内面に設けたガイド部１１に沿い枠体７内にＶ字状に収納し、フィルター押さえ１６を縦方向から横方向になるように９０度回動し、フィルター押さえ１６をフィルターユニット１０の上流側端部にスプリング１３のスプリング圧により当接するとともにフィルター押さえ１６に設けた突部１６ａで狭みフィルターユニット１０の上流側への移動を阻止するとともに、スプリング押さえ１６が振動等により自然に回動するのが阻止された状態となる。
【００１８】
そして、フィルターユニット１０を洗浄または交換するときには、横方向に向いていたフィルター押さえ１６を縦方向に移動することによりフィルターユニット１０を枠体７外に取り出すことができる。
【００１９】
このように本発明の実施例１のエアーフィルターによれば、同一形状の４枚の金属製の枠板６と、この枠板６を一部ずらしながら重ねて形成された枠体７と、ろ過板８ａをジクザグ状に折り畳み形成したろ材８をフィルター枠９に収納したフィルターユニット１０と、このフィルターユニット１０を枠体７内に引出自在でＶ字状に配列させるガイド部１１とを備え、枠板６をねじ３によるねじ止めにより組み合わせ枠体７を形成したので、スポット溶接を用いる必要がなくなり、スポット溶接設備の無い所でも組み立てが可能となるとともに、スポット溶接時のヒュームの発生が防止され、環境の悪化するのが防止でき、また、カラー鋼板等の使用も可能となり、錆の発生も防止でき、また、同一形状の枠板６を使用することにより一種類の金型で製作が可能となりコスト低減を図ることができる。
【００２０】
また、Ｖ字状に配列されるフィルターユニット１０の上流側端部間に支持板１２を設け、支持板１２に回動操作によりフィルターユニット１０に係脱してフィルターユニット１０が上流側に飛び出すのを押さえるフィルター押さえ１６を設けたので、工具を用いることなくフィルターユニット１０を所定位置に配設し、また、引き出すことができ、空気調和機等に設置されたエアーフィルターが暗くて狭い場所であっても、回動操作の簡単な操作で、フィルターユニット１０を押さえたり、押さえを解除することができ、作業性が向上するとともにフィルターユニット１０を押さえる部材は取り外す必要がないので部材の紛失も防止することができる。
【００２１】
（参考例１）
図５〜図８に示すように、樹脂で断面Ｌ字状に形成し、一辺の両端部に傾斜部１７ａを設けた一対の縦片１７と、金属製で断面Ｌ字状に形成し一辺の両端部を傾斜部１７ａに対応する段落し部１８ａを設けた一対の横片１８とを設け、縦片１７の傾斜部１７ａを横片１８の段落し部１８ａに当てがい、スポット接着、ポツプリベット、トツクスカシメ等の接合手段１９により接合し、方形状に形成し、嵌合できる寸法の第１の枠２０と第２の枠２１によりフィルター枠９Ａを形成する。
【００２２】
そして、第１の枠２０の４周の第１の側壁２２には内方に突出する突起部２３を設け、第２の枠２１の４周の第２の側壁２４には第１の枠２０に設けた突起部２３が係合する係合孔２５を設け、突起部２３と係合孔２５により支持手段２６を形成する。
【００２３】
また、第１の枠２０と第２の枠２１を嵌合してろ材８Ａを収納したフィルター枠９Ａに開封したことが判明するシール２７を第１の枠２０と第２の枠２１にわたり貼り付けて構成する。
【００２４】
上記構成において、ろ材８Ａをフィルター枠２３に収納したフィルターユニット１０Ａを形成するときには、第２の枠２１内にろ材８Ａを収納し、ろ材８Ａの端部となるろ過材８ａを第２の枠２１の第２の枠壁２４に当てがい、第１の枠２０を第２の枠２１に嵌合し、第１の枠２０の第１の側壁２２に設けた突起部２３を、第２の枠２１の第２の側壁２４に設けた係合孔２５に係合する支持手段２６により第２の枠２１に第１の枠２０を支持してフィルター枠９Ａを形成し、フィルター枠９Ａ内にろ材８Ａを収納したフィルターユニット１１Ａを形成する。
【００２５】
また、フィルター枠９Ａには、第１の枠２０と第２の枠２１間にわたりシール２７を貼り付けておくことにより、フィルター枠９Ａ内に収納された規定のろ材８Ａが他のろ材と変更されることがなくなり、所定の機能を維持することができる。
【００２６】
また、ろ材８Ａは第１の枠２０と第２の枠２１により形成されるフィルター枠９Ａに収納するので、ろ材８Ａの収納および交換、廃却時のろ材の取り出し等が第１の枠２０と第２の枠２１を分離することで行うことができる。
【００２７】
このように本発明の実施例２のエアーフィルターによれば、フィルター枠９Ａを嵌合できる金属製の第１の枠２０と第２の枠２１により形成し、内部に収納されるろ材８Ａの端部を第１の側壁２２と第２の側壁２４間に狭み第１の枠２０と第２の枠２１を支持手段２６により嵌合状態で支持するので、フィルター枠９Ａ内にろ材８Ａを支持した状態で収納できるのでろ材の片寄りが防止でき、また、フィルター枠９Ａが第１の枠２０と第２の枠に分離できるので、ろ材８Ａの収納、取り出しを容易に行うことができる。
【００２８】
また、第１の枠２０と第２の枠２１を嵌合してろ材８Ａを収納したフィルター枠９Ａに開封したことが判明するシール２７を第１の枠２０と第２の枠２１間にわたり設けたので、所定の特性をもったろ材８Ａを他の特性の異なるろ材に変更するのが防止でき、所定の能力を維持することができる。
【００２９】
（参考例２）
図９に示すように、ろ材８Ａを収納したフィルター枠９Ｂに洗浄する毎にはがすことにより洗浄回数が目視できるシール２７Ａを設けた構成とする。
【００３０】
上記構成において、シール２７Ａを順番に複数回にわけてはがすことができ、はがすことにより内部に印字した回数が表われるようにすることにより、洗浄回数がわかり、ろ材８Ａの寿命を知ることができる。
【００３１】
このように本発明の実施例３のエアーフィルターによれば、ろ材８Ａを収納したフィルター枠９Ｂに洗浄回数が目視できるシール２７Ａを設けたので、ろ材８Ａの洗浄回数を知ることによりろ材８Ａの寿命を知ることができ、廃却時期を正確に知ることができる。
【００３３】
【発明の効果】
以上の実施例から明らかなように、本発明によれば同一形状の４枚の金属製の枠板と、この枠板を一部ずらしながら重ねて形成された枠体と、ろ過板をジグザグ状に折り畳み形成したろ材をフィルター枠に収納したフィルターユニットと、このフィルターユニットを前記枠体内に引出自在でＶ字状に配列させるガイド部とを備え、前記枠板をねじ止めにより組み合わせ前記枠体を形成し、Ｖ字状に配列される前記フィルターユニットの上流側端部間に支持板を設け、前記支持板には回動操作により前記フィルターユニットに係脱して前記フィルターユニットが上流側に飛び出すのを押さえるフィルター押さえを設けたので、工具を用いる必要がなく回動する簡単な操作でフィルターユニットを押さえたり、押さえを解除することができ作業性が向上し、スポット溶接を必要とせず、錆の発生することもなく、コスト低減を図ることのできるエアーフィルターを提供できる。
【００３４】
また、フィルター枠を嵌合できる金属製の第１の枠と第２の枠により形成し、内部に収納されるろ材の端部を第１の側壁と第２の側壁間に狭み、第１の枠と第２の枠を支持手段により嵌合状態で支持するので、ろ材の片寄りが防止できろ過効率が低下するのが防止でき、また、第１の枠と第２の枠に分離できるので、ろ材の収納、取り出しが容易にできる。
【図面の簡単な説明】
【図１】  本発明の実施例１のエアーフィルターの斜視図
【図２】  同エアーフィルターの枠板の組み合わせを示す斜視図
【図３】  同エアーフィルターのフィルターユニットの斜視図
【図４】  同エアーフィルターのフィルター押さえ部分の構成を示す支持板を示す図
【図５】  参考例１のエアーフィルターのフィルター枠結合状態を示す分解断面図
【図６】  同エアーフィルターのフィルター枠の構成を示す分解斜視図
【図７】  同エアーフィルターのろ材の端部の支持状態を示す分解斜視図
【図８】  同エアーフィルターのフィルターユニットの斜視図
【図９】  参考例２のエアーフィルターのフィルターユニットの斜視図
【図１０】  従来のエアーフィルターの斜視図
【図１１】  同他の例のエアーフィルターを示す斜視図
【符号の説明】
６      枠板
７      枠体
８      ろ材
８Ａ    ろ材
８ａ    ろ過板
９      フィルター枠
９Ａ    フィルター枠
９Ｂ    フィルター枠
１０    フィルターユニット
１１    ガイド部
１２    支持板
１６    フィルター押さえ
１７    縦片
１８    横片
１９    接合手段
２０    第１の枠
２１    第２の枠
２２    第１の側壁
２４    第２の側壁
２６    支持手段
２７    シール
２７Ａ  シール
【図１】
0004519260.tif 000002
【図２】
0004519260.tif 000003
【図３】
0004519260.tif 000004
【図４】
0004519260.tif 000005
【図５】
0004519260.tif 000006
【図６】
0004519260.tif 000007
【図７】
0004519260.tif 000008
【図８】
0004519260.tif 000009
【図９】
0004519260.tif 000010
【図１０】
0004519260.tif 000011
【図１１】
0004519260.tif 000012